(57)【要約】【課題】前面側からの外力に対して前面板の変形が生じにくい吸遮音パネル及び吸遮音パネルのリフレッシュ方法を提供する。【解決手段】吸遮音パネル１０の前面板として、外装板５の背面側に補強板６が重ね合わされている補強前面板７を用いることで、補強板６が見えることがなく外観上補強板６に用いる材料の自由度を高めることができる。また外装板５の開孔５１と補強板６の開孔６１とが嵌着されて重ね合わされていることで、補強板６が外装板５と密着されて強度が高められ、更に変形の生じやすい開孔５１及び６１周辺についても補強板６の開孔と嵌着されて補強されることで、前面側からの外力による前面板の変形を生じにくくできる。【参照図】        図３【特許請求の範囲】
【請求項１】
多数の開孔を有する前面板とその背後に設けられた背面板とにより形成された中空内に吸音材が内装され、前記前面板の開孔は前面板の前後方向のいずれかに向けてその周縁が突出されると共に、前記前面板は外装板の背面側に補強板が重ね合わされて形成され、該外装板の開孔と前記補強板の開孔とが嵌着されていることを特徴とする吸遮音パネル。
【請求項２】
多数の開孔を有する前面板とその背後に設けられた背面板とにより形成された中空内に吸音材が内装され、前記前面板の開孔は前面板の前後方向のいずれかに向けてその周縁が突出された吸遮音パネルにおいて、前記前面板を取り外し、外装板の背面側に補強板が重ね合わされると共に前記外装板の開孔と前記補強板の開孔とが嵌着された新たな前面板に交換することを特徴とする吸遮音パネルのリフレッシュ方法。
【請求項３】
前記補強板は、前記取り外された前面板を用いることを特徴とする吸遮音パネル。
【発明の詳細な説明】
【技術分野】
【０００１】
本発明は、吸遮音パネルやそれに適用されるリフレッシュ方法に関するものである。
【背景技術】
【０００２】
従来、吸遮音パネルに適用されるリフレッシュ方法としては、例えば特許文献１において既設の防音壁表面の多孔板における孔縁に係止具を係止させ、該係止具により既設の多孔板の表面上に新多孔板を固定する、ことを特徴とするものや、前記の既設の防音壁表面のよろい板における傾斜板部に係止具を係止させ、該係止具により既設のよろい板の表面との間に微小空間を置いて新多孔板を固定する、ことを特徴とする防音壁のリフレッシュ方法が開示されている。
【０００３】
【特許文献１】特開２００２−２０６２１１号公報
【発明の開示】
【発明が解決しようとする課題】
【０００４】
しかしながら、かかる方法で形成された吸遮音パネルは、一般に前面板は肉厚の小さい金属板を用いて形成されるものであり、新多孔板が既設のよろい板の表面側に微小空間を置いて固定されていることから、道路側に降雪や除雪作業による積雪等により、前面側から外力がかかると前面板に変形が生じやすいものである。とりわけ前面板に穿設された音波を通過させる通孔周辺については変形が生じやすい。
【０００５】
本発明は上記の如き課題に鑑みてなされたものであり、前面側からの外力に対して前面板の変形が生じにくい吸遮音パネル及び吸遮音パネルのリフレッシュ方法を提供せんとするものである。
【課題を解決するための手段】
【０００６】
上記目的を達成するため、本発明は以下のような構成としている。すなわち、本発明に係わる吸遮音パネルは、多数の開孔を有する前面板とその背後に設けられた背面板とにより形成された中空内に吸音材が内装され、前記前面板の開孔は前面板の前後方向のいずれかに向けてその周縁が突出されると共に、前記前面板は外装板の背面側に補強板が重ね合わされて形成され、該外装板の開孔と前記補強板の開孔とが嵌着されていることを特徴とするものである。
【０００７】
また本発明に係わる吸遮音パネルのリフレッシュ方法は、多数の開孔を有する前面板とその背後に設けられた背面板とにより形成された中空内に吸音材が内装され、前記前面板の開孔は前面板の前後方向のいずれかに向けてその周縁が突出された吸遮音パネルにおいて、前記前面板を取り外し、外装板の背面側に補強板が重ね合わされると共に前記外装板の開孔と前記補強板の開孔とが嵌着された新たな前面板に交換することを特徴とするものである。
【０００８】
また前記補強板は、前記取り外された前面板を用いることを特徴とするものである。
【発明の効果】
【０００９】
請求項１に記載の本発明に係わる吸遮音パネルによれば、外装板の背面側に補強板が重ね合わされていることで、補強板が見えることがなく外観上補強板に用いる材料の自由度を高めることができる。また外装板の開孔と補強板の開孔とが嵌着されて重ね合わされていることで、補強板が外装板と密着されて強度が高められ、更に変形の生じやすい開孔周辺についても補強板の開孔と嵌着されて補強されることで、前面側からの外力による前面板の変形を生じにくくできる。
【００１０】
また請求項２の発明によれば、既設の吸遮音パネルの前面板が変形したり汚染されたりした場合に、補強板により外装板及び外装板の開孔付近に変形が生じにくい前面板とすることができ、外観がリフレッシュされると共に、前面板の外形を変化させることなく強度を高めて変形を生じにくくでき、リフレッシュの対象である吸遮音パネルが一部分のものであってもリフレッシュ後に周囲の既設の吸遮音パネルとの間に生じる違和感を軽減できる。
【００１１】
また請求項３の発明によれば、取り外した前面板を再利用することで、新規に必要な材料は外装板のみとでき、材料を低減して省資源化を図ることができる。
【発明を実施するための最良の形態】
【００１２】
本発明に係わる最良の実施の形態について、図面に基づき以下に具体的に説明する。
図１は、本発明が適用される吸遮音パネルを用いて形成された防音壁を示す説明図である。防音壁は、多数の開孔１１が穿設された前面板１を備えた吸遮音パネル１０が支柱２０の間に複数段、開孔１１を車道側に向けて積み重ねられて形成される。吸遮音パネル１０は支柱２０のフランジ間に挿入されると共にバネ材Ｓにより固定されたものであり、バネ材を脱着することで固定及び取り外しが行われる。
【００１３】
かかる吸遮音パネル１０は、一般的に前面板１が１ｍｍ程度の厚みのアルミ板等、それ程強度の高くない材料から形成されており、その前面板１に音波を透過させる開孔１１を穿設すると、開孔１１付近の強度が更に低下し、前面側からの外力によって開孔１１間が破断したり、開孔１１周辺に変形が生じることが容易に起こり得る。とりわけ積雪の多い地域においては、降雪により付着した積雪や、除雪車により道路辺縁に除雪された積雪や雪塊等が前面板１に対し外力を加え、上述の如き前面板の破断や凹み、打痕等の変形を引き起こす頻度が高まる。
【００１４】
図２は、図１に示した本発明に係わる吸遮音パネルの、実施の一形態を示す断面図である。吸遮音パネル１０は、多数の開孔を有しアルミニウム板を用いて形成された前面板１と、その背後に設けられ亜鉛めっき鋼板を折り曲げ加工してなる背面板２とにより形成された中空３内に吸音材４が内装されて形成され、前面板１と背面板２とは、下端部で背面板２の垂下部２１に前面板１の引掛部１３が引っかけられ、背面板２の背面側に向かって下方に傾斜された上面２２に同じく傾斜された前面板１の上板１４が嵌着され、更に適宜リベット等を用いて固着される。前面板１の開孔１１は、前面板１の左右方向にスリットを切り、スリットの上側が前面側に、下側が背面側に折り曲げられて傾斜部１２が設けられることで下側に向けて多数が開口されると共に、前面板１の前後方向に向けてその周縁が突出されて設けられている。かかる開孔１１においては、傾斜部１２の、前面板１より前面側に突出された部分に外力が加わることにより変形が生じやすくなっている。
【００１５】
図３は、図２に示した前面板１に替わる補強前面板の形成を示す断面図である。まずイ）に示す如く、前面板１と同形状の外装板５の背面側に、前面板１の開孔１１及びその周辺と略同形状となされた補強板６が下側から重ね合わされて形成される。外装板５及び補強板６には、各々開孔５１及び６１、傾斜部５２及び６２が設けられ、傾斜部５２に傾斜部６２が重ね合わせられることで外装板５の開孔５１と補強板６の開孔６１とが嵌着されることで、補強前面板７が形成される。
【００１６】
外装板５と補強板６とは略同一形状であるから、多数の開孔５２及び６２が穿設されていても嵌着は容易に行われ、傾斜部５２と傾斜部６２とが重ね合わされて強度が高められることで、前面側からの外力に対して変形が生じにくくなる。また外装板５の傾斜部５２の下側から補強板６２を重ね合わせることで、開孔５１及び６１が穿設されていても補強板６が外側から見えることがなく、補強板６にどの様な材料を用いても外観上違和感を生じさせることがない。
【００１７】
外装板５は、その形成する材料を特にアルミニウム板に限定するものではなく、形成する吸遮音パネルに応じて適宜のものを用いることができ、鋼板、ステンレス板等やそれらにめっき、フッ素樹脂等からなるフィルムを貼着したものなどを用いてよい。また既設のものの一部を交換するにおいては、その周囲の吸遮音パネルの前面板と同様の色調、光沢等の外観を有するものを用いるのが好ましい。
【００１８】
補強板６については、上述の如く外装板５と略同一の形状とすれば、開孔同士の嵌着が容易に行われまた外装板５の加工を流用して加工も容易なものとなり好ましいが、外装板５の開孔５１に嵌着可能な形状であれば特に限定されるものではなく、また前面板１と開孔１１部分について略同一形状としておけば、引掛部１３や上板１４は外装板５への嵌着時に邪魔となるので省いておくのが好ましい。また用いる材料についても外観に配慮する必要がないことから適宜のものを用いてもよいが、重量増による弊害も考えられることから比較的小さい厚みで高い強度を有する金属材料を用いて形成するのが好ましく、鋼板、アルミニウム板、ステンレス板等を加工して用いることができる。また、変形した前面板の取り替えにおいて、取り外した前面板を切断等して補強板６とすることもできる。
【００１９】
図４は、本発明に係わる吸遮音パネルのリフレッシュ方法の、実施の一形態を示す断面図である。まず図１に示す如き状態から吸遮音パネル１０が取り外され、イ）に示す如く変形や破損した前面板１の上板１４が背面板２の上面２２から外されて、前面板１が背面板２から取り外される。次にロ）に示す如く、前面板１と同形状で、引掛部５３及び上板５４を備えた外装板５が用意され、その外装板５に前面板１の開孔周辺と略同一形状の補強板６が重ね合わされて補強前面板７が形成される。最後に、ハ）に示す如く、前面板１の取り付けと同様に外装板５の引掛部５３及び上板５４を用いて、補強前面板７が背面板２に取り付けられて吸遮音パネル１０はリフレッシュされる。尚、ここで取り外した前面板１の引掛部１３や上板１４付近を切断し、変形箇所を修正した上で補強板６として用いてもよい。
【００２０】
かかるリフレッシュ方法により、例えば防音壁において設置後一冬を越した時点で、積雪により前面板１に変形が生じやすい吸遮音パネル１０を特定してその部分のみを補強前面板７に交換することで、それ程劣化を起こしていない背面板２や吸音材４を再利用して前面板１の強度を高め、吸遮音パネル全体を交換することなく変形に対する対策とすることができる。また補強板６が外装板５の背面側に配置されていることで、補強板６自体やその外装板５への取り付けに係わる部材等が外装板５の前面に配置されることがなく、外観が良好なものとなると共に部材等に加わる外力により更なる変形が生じるのを防止できる。
【図面の簡単な説明】
【００２１】
【図１】本発明に係わる吸遮音パネルが適用される防音壁の一例を示す説明図である。
【図２】本発明に係わる吸遮音パネルの、実施の一形態を示す断面図である。
【図３】本発明に係わる吸遮音パネルの、補強前面板の形成を示す断面図である。
【図４】本発明に係わる吸遮音パネルのリフレッシュ方法の、実施の一形態を示す断面図である。
【符号の説明】
【００２２】
１    前面板
１１  開孔
２    背面板
３    中空
４    吸音材
５    外装板
５１  開孔
６    補強板
６１  開孔
１０  吸遮音パネル
２０  支柱
【図１】
2005146597.tif 000002
【図２】
2005146597.tif 000003
【図３】
2005146597.tif 000004
【図４】
2005146597.tif 000005